(57)【特許請求の範囲】
【請求項１】
軸、軸の一端領域において複数の板状櫛歯が軸の長手方向に並列したブラシ部、及び軸の他端に設けられた把持部を有するマスカラブラシであって、
各板状櫛歯は隣り合う板状櫛歯と離隔した状態で軸の全周から突出し
軸の延長方向から見た面の形状が、円弧による弓形領域と該円弧の両端部からの延設線で挟まれた三角状領域とからなる液滴形状をなし、
前記円弧と軸の周面との距離（以下、円弧側歯高という）が、三角状領域の頂部と軸の周面との距離（以下、三角状領域側歯高という）よりも低いマスカラブラシ。
【請求項２】
板状櫛歯の前記円弧の円心と軸の中心とが一致する請求項１記載のマスカラブラシ。
【請求項３】
前記円弧の両端部からの延設線が、該両端部における接線となっており、その２つの接線の挟む角度が３０〜９０°である請求項１又は２記載のマスカラブラシ。
【請求項４】
板状櫛歯の盤面と軸とのなす角度が略直角である請求項１〜３のいずれかに記載のマスカラブラシ。
【請求項５】
隣り合う板状櫛歯の盤面の距離が０．３〜０．７ｍｍである請求項１〜４のいずれかに記載のマスカラブラシ。
【請求項６】
板状櫛歯の円弧側歯高が０．４〜１．０ｍｍであり、三角状領域側歯高が１．５〜３．８ｍｍである請求項１〜５のいずれかに記載のマスカラブラシ。
【請求項７】
ブラシ部先端領域において、板状櫛歯の三角状領域側歯高が、ブラシ部先端に向かって漸次低くなっている請求項１〜６のいずれかに記載のマスカラブラシ。
【請求項８】
ブラシ部先端領域において、板状櫛歯の三角状領域の頂部の包絡線と軸とのなす角度が５〜３０°である請求項７記載のマスカラブラシ。
【請求項９】
ブラシ部先端寄りの板状櫛歯の周面が、ブラシ部先端方向に傾くテーパーを有する請求項１〜８のいずれかに記載のマスカラブラシ。
【請求項１０】
ブラシ部先端に、軸の延長方向に起立した毛捌き用突起が設けられている請求項１〜９のいずれかに記載のマスカラブラシ。
【請求項１１】
請求項１〜１０のいずれかに記載のマスカラブラシと、マスカラブラシのブラシ部が挿入可能な筒状のマスカラ化粧料収容容器と、マスカラ化粧料収容容器内に設けられた払拭部とを有するマスカラ化粧品であって、払拭部が、ブラシ部先端側の板状櫛歯の弓形領域の径以上で、その板状櫛歯の長径よりも小さい径の払拭孔を有するマスカラ化粧品。
【請求項１２】
請求項１１記載のマスカラ化粧品を用いて睫毛にマスカラ化粧料を塗布する化粧方法であって、ブラシ部の弓形領域を上睫毛の根元に当て、三角状領域で睫毛の先端を梳かすようにブラシ部を回転させて上睫毛にマスカラ化粧料を塗布すると共に、三角状領域を下睫毛の根元に当て、三角状領域で下睫毛の先端まで梳かして下睫毛にマスカラ化粧料を塗布するマスカラ化粧方法。
【発明の詳細な説明】
【技術分野】
【０００１】
本発明は、樹脂成形したマスカラブラシに関する。
【背景技術】
【０００２】
従来、マスカラ化粧料を睫毛に塗布するマスカラブラシとして、ブラシ繊維を２条の金属芯線材で挟持しながら螺旋状に捻回したスクリューブラシや、ブラシ繊維を櫛基部の片面に植毛した植毛ブラシの他、板状櫛歯が並列するように樹脂成形した成形ブラシが知られている（特許文献１）。
【０００３】
成形ブラシでは、ブラシ繊維を用いたマスカラブラシに比して、ブラシ部を所望の形状に成形することが容易であり、例えば、櫛基部の片面に板状櫛歯を並列させたコーム部を設け、櫛基部の反対面に、横断面半円形でブラシの長手方向に波形の凹凸を繰り返す凹凸部を設け、コーム部と凹凸部との境に境界壁を設けたマスカラブラシが提案されている（特許文献２）。このマスカラブラシの使用方法としては、まず、払拭部が付いたマスカラ容器を用いて、マスカラブラシにマスカラ化粧料を付着させる。これにより、マスカラブラシは、凹凸部ではマスカラ化粧料が凹部に溜まり、コーム部では余分なマスカラ化粧料が払拭された状態となる。そこで、凹凸部を用いて睫毛の根元にマスカラ化粧料を供給し、次にコーム部で睫毛を梳かし、マスカラ化粧料を睫毛に均一に塗布する。
【０００４】
【特許文献１】特開２０００−１６８８２３号公報
【特許文献２】特開２００５−３１９００４号公報
【発明の開示】
【発明が解決しようとする課題】
【０００５】
しかしながら、従来の成形ブラシでは、睫毛の根元に充分な量でマスカラ化粧料を塗布できないために所望のボリューム感を得られない場合があり、また、上睫毛と下睫毛のそれぞれに、最適な量でマスカラ化粧料を塗布することが困難であるという問題もあった。
【０００６】
これに対し、本発明は、上睫毛と下睫毛のそれぞれについて、睫毛の根元に充分な量のマスカラ化粧料を供給し、美しくボリューム感のある仕上がりを得られるようにすることを目的とする。
【課題を解決するための手段】
【０００７】
本発明者は、板状櫛歯が並列したブラシ部を有する成形ブラシにおいて、個々の板状櫛歯を軸の全周から突出させ、隣り合う板状櫛歯同士の盤面を完全に離隔させ、かつ、盤面形状を、弓形領域と三角状領域からなる液滴形状とし、弓形領域を形成する円弧と軸の周面との距離（円弧側歯高）を三角状領域の頂部と軸の周面との距離（三角状領域側歯高）よりも低くすると、マスカラブラシにマスカラ化粧料収容容器でマスカラ化粧料を付着させ、同容器の払拭部で払拭することにより、マスカラ化粧料が弓形領域では櫛歯間一杯に充分な量で保持されるが、三角状領域では専ら櫛歯の根元側に保持されて頂部側では殆ど保持されない状態もしくは保持量が少ない状態にすることができ、したがって、上睫毛にマスカラ化粧料を塗布する際に、ブラシ部を弓形領域から睫毛に当てると、睫毛の根元に多くのマスカラ化粧料を供給でき、引き続き三角状領域を用いて睫毛を良好に梳かすことができること、さらに、下睫毛では上睫毛よりもマスカラ化粧料の必要量が少ないため、三角状領域のみを用いて、良好にマスカラ化粧料を塗布できることを見出した。
【０００８】
即ち、本発明は、軸、軸の一端領域において複数の板状櫛歯が軸の長手方向に並列したブラシ部、及び軸の他端に設けられた把持部を有するマスカラブラシであって、
各板状櫛歯は隣り合う板状櫛歯と離隔した状態で軸の全周から突出し
軸の延長方向から見た面の形状が、円弧による弓形領域と該円弧の両端部からの延設線で挟まれた三角状領域とからなる液滴形状をなし、
前記円弧と軸の周面との距離（円弧側歯高）が、三角状領域の頂部と軸の周面との距離（三角状領域側歯高）よりも低いマスカラブラシを提供する。
【０００９】
また、本発明は、上述のマスカラブラシと、マスカラブラシのブラシ部が挿入可能な筒状のマスカラ化粧料収容容器と、マスカラ化粧料収容容器内に設けられた払拭部とを有するマスカラ化粧品であって、払拭部が、ブラシ部先端側の板状櫛歯の弓形領域の径よりも大きく、その板状櫛歯の長径よりも小さい径の払拭孔を有するマスカラ化粧品を提供する。
【００１０】
さらに、本発明は、上述のマスカラ化粧品を用いて睫毛にマスカラ化粧料を塗布する化粧方法であって、ブラシ部の弓形領域を上睫毛の根元に当て、三角状領域で睫毛の先端を梳かすようにブラシ部を回転させて上睫毛にマスカラ化粧料を塗布すると共に、三角状領域を下睫毛の根元に当て、三角状領域で下睫毛の先端まで梳かして下睫毛にマスカラ化粧料を塗布するマスカラ化粧方法を提供する。
【発明の効果】
【００１１】
本発明のマスカラブラシによれば、歯高の低い弓形領域では櫛歯間一杯にマスカラ化粧料を保持させることが出来るので、マスカラブラシを弓形領域から上睫毛の根元に当てると、上睫毛の根元に充分な量のマスカラ化粧料を供給することができる。この場合、弓形領域の円弧側歯高が低いことにより、上睫毛の根元へマスカラブラシをアプローチさせることが容易である。また、これに引き続き、弓形領域と櫛歯面が連続する三角状領域で睫毛を梳かすと、三角状領域ではマスカラ化粧料が専ら根元側に保持されて頂部側では保持量が少ないので上睫毛を良好に整えることができる。よって、上睫毛を充分なボリューム感を有する美しい仕上がりにすることができる。
【００１２】
一方、下睫毛は上睫毛よりも睫毛繊維の密度が低く、マスカラ化粧料の必要量が少ないので、マスカラブラシの三角状領域のみを用いて充分なボリューム感を有する美しい仕上がりにすることができる。
【発明を実施するための最良の形態】
【００１３】
以下、図面を参照しつつ本発明の実施形態を詳細に説明するが、本発明は以下の実施形態に限定されるものではない。また、各図中、同一符号は同一又は同等の構成要素を表している。
【００１４】
図１は、本発明の一実施例のマスカラ化粧品１の切欠斜視図である。このマスカラ化粧品１は、本発明の一実施例のマスカラブラシ１０Ａと、マスカラブラシ１０Ａのブラシ部１１が挿入可能な筒状のマスカラ化粧料収容容器２からなっている。
【００１５】
マスカラ化粧料収容容器２内には粘稠な液状のマスカラ化粧料Ａが収容されている。また、マスカラ化粧料収容容器２のブラシ挿入口３近傍には払拭部４が設けられている。
【００１６】
マスカラブラシ１０Ａは、軸１３の一端領域に形成されたブラシ部１１と他端に設けられた把持部１２からなり、この把持部１２が、マスカラ化粧料収容容器２の着脱自在なキャップを兼ねている。マスカラブラシ１０Ａのブラシ部１１では、複数の板状櫛歯２０が軸１３の長手方向に並列し、平行に並んでいる。
【００１７】
図２は、マスカラブラシ１０Ａのブラシ部１１の正面図（ａ）及びマスカラブラシ１０Ａを構成する板状櫛歯２０を軸１３の延長方向から見たときの平面図（ｂ）である。図示したように、各板状櫛歯２０は、軸１３の全周から軸の半径方向に突出し、盤面２１と軸１３とのなす角度が略直角となっている。また各板状櫛歯２０は、その盤面２１の全面が隣り合う板状櫛歯２０と完全に離隔している。そのため、軸１３の片面だけに板状櫛歯を起立させ、他面は平坦に形成した従前の成形ブラシ（特許文献１）や、軸１３の片面だけに板状櫛歯を起立させ、他面には波形の凹凸面を形成した従前の成形ブラシ（特許文献２）と異なり、軸１３の全周において板状櫛歯２０の櫛歯間にマスカラ化粧料を保持し得るようになっている。
【００１８】
さらに、板状櫛歯２０の盤面２１の形状は、円弧２２ａによる略半円形の弓形領域２２と円弧２２ａの両端部２２ｂからの延設線２３ｂで挟まれた三角状領域２３とから形成される液滴形状をなし、弓形領域２２における板状櫛歯の円弧側歯高Ｈ1 は、三角状領域の頂部２３ａにおける板状櫛歯の三角領域側歯高Ｈ2 よりも低くなっているが、櫛歯間にマスカラ化粧料Ａを保持するのに十分な歯高を有している。ここで、板状櫛歯２０の好ましい歯高は、弓形領域２２では０．４〜１．０ｍｍであり、三角状領域の頂部２３ａでは１．５〜３．８ｍｍである。
【００１９】
このように弓形領域２２にも櫛歯を起立させることにより、図２の領域Ｐ1 を拡大した図３（ａ）に示すように、弓形領域２２で櫛歯間に保持し得るマスカラ化粧料Ａの量は、図３（ｂ）に示した従来のマスカラブラシ１０ｘの凹凸部で保持し得るマスカラ化粧料Ａの量に比して、歯高Ｈ１が高く、また、櫛歯厚に対する、対向する櫛歯の盤面の距離Ｗ１が大きいこともあり、増大する。したがって、このマスカラブラシ１０Ａによれば、睫毛の根元にアプローチし易い歯高の低い弓形領域２２を用いて、睫毛の根元に多くのマスカラ化粧料を供給することが可能となる。特に、この弓形領域２２によれば、目尻や目頭などの細部にも容易にアプローチすることが可能となる。
【００２０】
板状櫛歯２０の盤面２１の液滴形状に関し、睫毛に挿入しやすく、睫毛を捌きながら細かく整えることができ、且つ、細部にも容易にアプローチすることができる点から、好ましくは、三角状領域２３の２つの略直線状縁辺となる延設線２３ｂが、それぞれ弓形領域２２の円弧２２ａの両端部２２ｂにおける接線となるようにしている。また、このとき、その２つの縁辺２３ｂの挟む角度θ1 を３０〜９０°とすることが好ましく、４５〜７０°とすることが更に好ましい。
【００２１】
また、板状櫛歯２０を払拭部４で払拭する際、櫛歯間にマスカラ化粧料を適量に均一保持させる点から、板状櫛歯２０の弓形領域２２の円弧２２ａの円心と軸１３の中心とを一致させることが好ましい。
【００２２】
軸１３の好ましい径は１．５〜２．２ｍｍであり、したがって、弓形領域全体の径Ｄ1 は２．６〜４．０ｍｍとし、板状櫛歯全体の長径Ｄ2 は４．５〜６．０ｍｍとすることが好ましい。
【００２３】
隣り合う板状櫛歯２０の対向する盤面２１の距離Ｗ1 は、マスカラ化粧料の櫛歯間における保持量とブラシ部１１による睫毛の梳かしやすさの点から、０．３〜０．７ｍｍとすることが好ましく、また板状櫛歯２０の配列ピッチは０．４〜１．０ｍｍとすることが好ましい。
【００２４】
このマスカラブラシ１０Ａでは、ブラシ部１１の先端領域１１ｂにおいて、板状櫛歯２０の三角状領域側歯高Ｈ2 を、ブラシ部先端１１ａに向かって漸次低くしており、これにより、ブラシ部の先端領域１１ｂでは、弓形領域２２だけでなく三角状領域２３でも睫毛へのアプローチが容易となるようにしている。また、このブラシ部１１の先端領域１１ｂでは軸１３の径もブラシ部先端１１ａに向かって漸次細くしており、これにより、この領域の櫛歯間におけるマスカラ化粧料の保持量が低減することを防止している。この場合、目尻や目頭など細部にアプローチしやすく、且つマスカラ化粧料収容容器２へマスカラブラシ１０Ａを挿入しやすい点から、板状櫛歯２０の三角状領域の頂部２３ａの包絡線と軸１３とのなす角度θ2 は５〜３０°とすることが好ましい。
【００２５】
一方、マスカラ化粧料収容容器２については、マスカラブラシ１０Ａを挿入できる限り、その形状に特に制限はないが、払拭部４としては、ブラシ部先端寄りの板状櫛歯２４の弓形領域の径Ｄ1 以上で、その板状櫛歯全体の長径Ｄ2 よりも小さい径の払拭孔５を有するものが好ましく、また、払拭孔５の開口径状は、液滴形状ではなく、円形とすることが好ましい。これにより、払拭部４でマスカラブラシ１０Ａを払拭することにより、マスカラブラシ１０Ａの弓形領域２２側では、櫛歯間一杯にマスカラ化粧料を保持させ、三角状領域２３側では頂部２３ａ近傍のマスカラ化粧料を拭い取り、専ら根元近傍のみにマスカラ化粧料を保持させることが可能となる。
【００２６】
このマスカラブラシ１０Ａの使用方法としては、マスカラ化粧料収容容器２に挿入されていたマスカラブラシ１０Ａのブラシ部１１を、同容器２から払拭部４を通して引き抜く。そして、マスカラ化粧料を上睫毛に塗布する場合には、図４（ａ）に示すように、マスカラブラシ１０Ａの弓形領域２２を上睫毛Ｅ1 の根元に当て、三角状領域２３で上睫毛Ｅ1 の先端に向かって梳かすようにブラシ部１１を回転させる。一方、マスカラ化粧料を下睫毛に塗布する場合には、図４（ｂ）に示すように、マスカラブラシ１０Ａを、三角状領域２３の頂部近傍から下睫毛Ｅ2 の根元に当て、その三角状領域２３で下睫毛Ｅ2 の先端まで梳かす。必要に応じて、この操作は繰り返すことができる。また、三角領域側歯高Ｈ2 がブラシ部先端１１ａに向かって漸次低くなっている、ブラシ部１１の先端領域１１ｂの三角状領域２３を用いて、上睫毛や下睫毛にマスカラ化粧料を塗布しつつ、睫毛を梳かしてもよい。これにより、上睫毛と下睫毛のそれぞれについて、その根元に充分な量のマスカラ化粧料を供給し、美しくボリューム感のある仕上がりを得ることができる。
【００２７】
本発明のマスカラブラシは種々の態様をとることができる。例えば、図５に示すマスカラブラシ１０Ｂのように、ブラシ部先端１１ａ側の板状櫛歯２０Ａの板厚を厚くし、そこに、軸１３の延長方向に起立した毛捌き用突起２６を設けてもよい。これにより、図７に示すように、ブラシ部先端の毛捌き用突起２６を用いて睫毛を上下に梳かし、細部の仕上げを容易に行うことができる。ここで、毛捌き用突起２６の好ましい長さは、１．０〜２．０ｍｍである。
【００２８】
毛捌き用突起２６を設ける場合、ブラシ部先端１１ａ側の板状櫛歯２０Ａの板厚を厚くすることから、この板状櫛歯２０Ａの周面２４には、ブラシ部先端１１ａ方向に傾くテーパー２５を設けることが好ましい。これにより、図６に示すように、マスカラブラシ１０Ｂをマスカラ化粧料収容容器の払拭部４に挿入する際に、ブラシ部の先端領域１１ｂを払拭孔５に滑らかに通すことが可能となる。
【００２９】
また、ブラシ部の把持部側領域（図２の領域Ｐ2 ）において、図８に示すように、軸１３の径をブラシ部１１に向かって徐々に滑らかに大きくし、把持部側の板状櫛歯２０Ｂと軸１３とで、軸１３の半径方向に段差２７を設けてもよい。これにより、マスカラ化粧料収容容器から払拭部４を通してブラシ部１１を引き抜くときに、板状櫛歯２０Ｂの三角状領域の突出端２３ａ側が破線のように撓み、板状櫛歯２０Ｂの三角状領域に不用にマスカラ化粧料が残存することを防止でき、三角状領域２３で睫毛を梳かす際に櫛歯がべとつかず、梳かしやすくなる。
【００３０】
なお、本発明においてマスカラブラシの成形材料としては、溶融成形可能な種々のプラスチック材料を使用することができ、例えば、ポリエチレンテレフタレート等のポリエステル、ポリプロピレン等のポリオレフィン、ＡＢＳ樹脂、ポリアセタールなどを使用することができる。また、ポリエステルエラストマーやポリウレタンエラストマー等の熱可塑性エラストマーを用いることができる。中でも、板状櫛歯を払拭部で払拭する際に櫛歯が良好に撓む点から、ショア５０〜７０Ｄのポリエステルエラストマーを使用することが好ましい。
【００３１】
払拭部４の形成材料にはニトリルゴムを使用することが好ましい。
【００３２】
また、本発明で使用するマスカラ化粧料としては、２５℃における粘度が、好ましくは１０００００〜２００００００ｍＰａ・ｓ、より好ましくは１５００００〜１００００００ｍＰａ・ｓの粘稠な液体が好ましい。
【産業上の利用可能性】
【００３３】
本発明のマスカラブラシ、マスカラ化粧品及びマスカラ化粧方法は、睫毛の化粧道具あるいは化粧方法の分野で有用である。
【図面の簡単な説明】
【００３４】
【図１】マスカラ化粧品の切欠斜視図である。
【図２】マスカラブラシのブラシ部の正面図（ａ）及び板状櫛歯の平面図（ｂ）である。
【図３】弓形領域の拡大正面図（ａ）及び従来例の凹凸部の拡大正面図である。
【図４】マスカラブラシの使用方法の説明図である。
【図５】マスカラブラシのブラシ部の正面図（ａ）及びブラシ部の先端領域の斜視図（ｂ）である。
【図６】ブラシ部の先端領域を払拭部に通している状態の説明図である。
【図７】毛捌き用突起の使用方法の説明図である。
【図８】ブラシ部の把持部側領域の拡大正面図である。
【符号の説明】
【００３５】
１    マスカラ化粧品
２    マスカラ化粧料収容容器
３    ブラシ挿入口
４    払拭部
１０Ａ、１０Ｂ  マスカラブラシ
１１    ブラシ部
１１ａ  ブラシ部先端
１１ｂ  ブラシ部の先端領域
１２    把持部
１３    軸
２０    板状櫛歯
２０Ａ  ブラシ部先端寄りの板状櫛歯
２０Ｂ  把持部側の板状櫛歯
２１    盤面
２２    弓形領域
２２ａ  円弧
２２ｂ  円弧の両端部
２３    三角状領域
２３ａ  三角状領域の頂部
２３ｂ  円弧の両端からの延設線、三角状領域の縁辺
２４    板状櫛歯の周面
２５    テーパー
２６    毛捌き用突起
２７    段差
Ａ    マスカラ化粧料
Ｈ1   円弧側歯高
Ｈ2   三角領域側歯高  
【図１】
0005131453.tif 000002
【図２】
0005131453.tif 000003
【図３】
0005131453.tif 000004
【図４】
0005131453.tif 000005
【図５】
0005131453.tif 000006
【図６】
0005131453.tif 000007
【図７】
0005131453.tif 000008
【図８】
0005131453.tif 000009